(57)【特許請求の範囲】
【請求項１】
頭部の植毛／増毛領域に隣接するように装着されるかつらベースと、
前記かつらベースに植設された擬毛と、
を備え、
前記植毛／増毛領域の前記かつらベースと隣接する第１の領域の形状が、前記植毛／増毛領域の毛の毛元の位置を繋いだ曲線または直線で画定され、
前記かつらベースの外縁の前記第１の領域に隣接する第２の領域の形状が、前記第１の領域の形状と略同一であることを特徴とするかつら。
【請求項２】
前記植毛／増毛領域及び前記かつらベースの境界領域において、前記植毛／増毛領域の毛の密度と、前記かつらベースに植設された擬毛の密度とが略同一であることを特徴とする請求項１に記載のかつら。
【請求項３】
前記植毛／増毛領域及び前記かつらベースの境界領域において、前記植毛／増毛領域の毛の長さと、前記かつらベースに植設された擬毛の長さが近似していることを特徴とする請求項１または２に記載のかつら。
【請求項４】
前記植毛／増毛領域が、被装着者の前頭領域に位置することを特徴とする請求項１から３の何れか１項に記載のかつら。
【請求項５】
前記かつらベースの前記第２の領域の外側に、フィラメントで囲まれ、前記植毛／増毛領域の毛を引き込む引き込み領域が形成されていることを特徴とする請求項１から４の何れか１項に記載のかつら。
【発明の詳細な説明】
【技術分野】
【０００１】
本発明は、人の頭部に装着するかつら及び増毛部材に関する。
【背景技術】
【０００２】
加齢をはじめとする様々な要因で、頭髪が少なくなったときの処置として、頭皮に植毛を行う場合がある。植毛により自然な外観が得られるが、頭部全体のような広い領域を植毛でカバーするのは困難である。このため、多くの場合、人の頭部に装着するかつらが広く用いられている。
【０００３】
一方、かつらを装着した場合、かつらベースの外縁部は特に視認され易く、かつらを装着していることが認識され易くなる。この問題に対処するため、自毛を引き出すための間隔を形成する複数本のアウトラインフィラメントを備えたかつらが提案されている（例えば、特許文献１参照）。
【先行技術文献】
【特許文献】
【０００４】
【特許文献１】特開２０１９−４４２９５号
【発明の概要】
【発明が解決しようとする課題】
【０００５】
特許文献１に記載のかつらでは、自毛を引き出すアウトラインフィラメントが側頭部には形成されているが、自毛があまり残存していない前頭部には、通常の網目の面部が形成されている。よって、前頭部においては、かつらベースの外縁部が視認されて、かつらを装着していることが認識される虞がある。
【０００６】
また、かつらの代わりに、ヘアエクステンション等の増毛部材を用いて増毛領域を形成した場合でも、同様に、増毛領域の外縁部において、増毛部材の装着が認識される虞がある。
【０００７】
本発明は、上記を問題に鑑みてなされたものであり、被装着者の頭部の自毛があまり残存していない領域に外縁部が配置されても、装着していることが認識されにくい、かつらまたは増毛部材を提供することを目的とする。
【０００８】
、
上記課題を解決するために、本発明の一態様に係るかつらは、
頭部の植毛／増毛領域に隣接するように装着されるかつらベースと、
前記かつらベースに植設された擬毛と、
を備え、
前記植毛／増毛領域の前記かつらベースと隣接する第１の領域の形状が、前記植毛／増毛領域の毛の毛元の位置を繋いだ曲線または直線で画定され、
前記かつらベースの外縁の前記第１の領域に隣接する第２の領域の形状が、前記第１の領域の形状と略同一である。
【０００９】
本発明の一態様に係る増毛部材は、
頭部に残存する自毛に結び付けられる擬毛または頭部に残存する自毛に取り付けられる紐状部材に１以上の擬毛が結び付けられたヘアエクステンションから構成され、頭部の植毛領域に隣接するように配置された増毛領域を形成する増毛部材であって、
前記植毛領域の前記増毛領域と隣接する第１の領域の形状が、前記植毛領域の毛の毛元の位置を繋いだ曲線または直線で画定され、
前記増毛領域の外縁部の前記第１の領域に隣接する第２の領域の形状が、自毛に結び付けられた擬毛の毛元の位置を繋いだ曲線または直線、または自毛に取り付けられた前記紐状部材の位置で画定され、
前記第１の領域の形状及び前記第２の領域の形状が略同一である。
【発明の効果】
【００１０】
以上のように、本発明では、被装着者の頭部の自毛があまり残存していない領域に外縁部が配置されても、装着していることが認識されにくい、かつらまたは増毛部材を提供することができる。
【図面の簡単な説明】
【００１１】
【図１】本発明の１つの実施形態に係るかつらを、植毛／増毛領域を有する頭部に装着するところを模式的に示す図である。
【図２】本発明の１つの実施形態に係るかつらが、頭部の植毛／増毛領域に隣接するように装着されたところを模式的に示す図である。
【図３Ａ】擬毛を残存した自毛に結び付けて形成された植毛／増毛領域を模式的に示す図である。
【図３Ｂ】ヘアエクステンションを残存した自毛に取り付けて形成された植毛／増毛領域を模式的に示す図である。
【図４】植毛／増毛領域及びかつらベースの境界領域における植毛／増毛領域の毛の密度と、かつらベースに植設された擬毛の密度とを模式的に示す図である。
【図５】外縁部に植毛／増毛領域の毛の引き込み領域が形成された本発明のその他の実施形態に係るかつらを模式的に示す図である。
【図６】本発明の１つの実施形態に係る増毛部材による増毛領域が、頭部の植毛領域に隣接するように配置されたところを模式的に示す図である。
【図７】植毛領域及び増毛領域の境界領域における植毛領域の毛の密度と、増毛領域の擬毛の密度とを模式的に示す図である。
【発明を実施するための形態】
【００１２】
以下、図面を参照しながら、本発明を実施するための実施形態を説明する。なお、以下に説明する実施形態は、本発明の技術思想を具体化するためのものであって、特定的な記載がない限り、本発明を以下のものに限定しない。
各図面中、同一の機能を有する部材には、同一符号を付している場合がある。要点の説明または理解の容易性を考慮して、便宜上実施形態に分けて示す場合があるが、異なる実施形態で示した構成の部分的な置換または組み合わせは可能である。各図面が示す部材の大きさや位置関係等は、説明を明確にするため、誇張して示している場合がある。
【００１３】
（１つの実施形態に係るかつら）
はじめに、図１及び図２を参照しながら、本発明の１つの実施形態に係るかつらの説明を行う。図１は、本発明の１つの実施形態に係るかつらを、植毛／増毛領域を有する頭部に装着するところを模式的に示す図である。図２は、本発明の１つの実施形態に係るかつらが、頭部の植毛／増毛領域に隣接するように装着されたところを模式的に示す図である。
【００１４】
本実施形態に係るかつらは、かつらベース４と、かつらベース４に植設された擬毛Ｇとを備える。図１及び図２では、全頭かつらを示しているが、部分かつらの場合もあり得る。かつらベース４は、網目を有する面部で主に構成される。かつらベース４の全面が網目を有する面部で構成される場合もあり得るし、例えば、分髪部に対応する領域に人工皮膚等が配置される場合もあり得る。更に、被装着者の自毛を引き出す領域が設けられたかつらベース４もあり得る。
【００１５】
本実施形態では、かつらベース４の網目のフィラメントに、擬毛Ｇが結び付けられている。その場合、既知の任意の結び方で擬毛Ｇを網目に結び付けることができる。かつらベース４に取り付けられた擬毛Ｇを、以下では、かつらベース４に”植設された擬毛Ｇ”と記載する。また、後述するような、医学的に頭皮に植え込まれた毛髪を、頭皮に”植毛された毛Ｎ”と記載する。また、植毛された毛ではなく、元々、頭皮に生えている（残存している）頭髪を、”自毛Ｊ”と記載する。更に、擬毛Ｇを残存した自毛Ｊに結び付けたり、擬毛Ｇを有するヘアエクステンションを残存した自毛Ｊに取り付けた場合の擬毛Ｇを、”増毛による擬毛Ｇ”として記載する。かつらベース４に植設された擬毛Ｇ及び増毛による擬毛Ｇは、同じ擬毛の場合も、異なる擬毛の場合もあり得る。
【００１６】
植毛を行えば、自然な外観が得られる。また、擬毛を残存した自毛に結び付けたり、紐状部材に１以上の擬毛が結び付けられたヘアエクステンションを、残存した自毛に結び付ける増毛によっても、概ね自然な外観が得られる。しかし、植毛、増毛何れの方法であっても、頭部の広い範囲を植毛でカバーすることは困難である。一方、かつらを用いれば、頭部の広い範囲をカバーできるが、かつらベースの外縁部が視認され易く、かつらを装着していることが認識され易くなる
【００１７】
そこで、本実施形態に係るかつら２では、かつらと植毛／増毛の利点を組み合わせており、かつらベース４が、被装着者の頭部の植毛／増毛領域ＳＲに隣接するように装着される。このとき、装着時にかつらベース４の植毛／増毛領域ＳＲに隣接する領域では、擬毛Ｇが植設されている。
後で詳細に述べるように、これにより、頭部の広い範囲をカバーできるともに、植毛または増毛された毛を用いて、かつらベース４の外縁部が視認されるのを効果的に抑制することができる。
【００１８】
＜植毛による植毛／増毛領域の形成＞
はじめに、自毛があまり残存していない前頭部に植毛を行って、植毛／増毛領域ＳＲを形成した場合を説明する。更に詳細に述べれば、前頭部の生え際に対応する領域に、植毛／増毛領域ＳＲが略弧状に形成されている場合を例に取って説明する。
【００１９】
植毛／増毛領域ＳＲを形成するには、既知の任意の植毛方法を採用することができる。一般的に、植毛には、擬毛を用いた植毛方法と、残存している自毛を移植する植毛方法がある。擬毛を用いる場合には、植毛針を用いて、擬毛を１本１本植毛するのが一般的である。
【００２０】
残存している自毛を移植する植毛方法としては、ＦＵＥ（Ｆｏｌｌｉｃｕｌａｒ  Ｕｎｉｔ  Ｅｘｃｉｓｉｏｎ：毛包株切除植毛手術）植毛や、ＦＵＴ（Ｆｏｌｌｉｃｕｌａｒ  Ｕｎｉｔ  Ｔｒａｎｓｐｌａｎｔａｔｉｏｎ：毛包株植毛手術）植毛が知られている。
【００２１】
ＦＵＥ植毛は、鋭利な筒状の刃物で、毛髪が残存する領域を毛根ごとくり抜いて、移植する方法である。メスで頭皮を切らないので縫合跡が残らない利点がある。多くの範囲をカバーするのは困難であるが、図示したような植毛／増毛領域ＳＲを形成することは可能である。
【００２２】
ＦＵＴ植毛は、毛髪が残存する領域をメスで帯状に切り取って、移植する方法である。ＦＵＥ植毛に比べて、より広い領域をカバーできるが、縫合跡が残る。
【００２３】
＜増毛による植毛／増毛領域の形成＞
次に、図３Ａ及び３Ｂを参照しながら、自毛が多く残存していない領域に増毛を行って、植毛／増毛領域ＳＲを形成した場合を説明する。図３Ａは、擬毛を残存した自毛に結び付けて形成された植毛／増毛領域を模式的に示す図である。図３Ｂは、ヘアエクステンションを残存した自毛に取り付けて形成された植毛／増毛領域を模式的に示す図である。
【００２４】
図３Ａに示すように、擬毛を残存した自毛Ｊに結び付けて、植毛／増毛領域ＳＲを形成することができる。この場合、既知の任意の結束方法を用いて、擬毛Ｇを自毛Ｊに結び付けることができ、これにより結び目Ｔが形成される。なお、擬毛Ｇを自毛に結び付けて植毛／増毛領域ＳＲを形成するには、ある程度の量の自毛Ｊが残存している場合が好ましい。
【００２５】
一方、残存する自毛Ｊの量が少ない場合には、紐状部材に１以上の擬毛Ｇが結び付けられたヘアエクステンション１０を用いるのが効果的である。この場合、図３Ｂに示すように、ヘアエクステンション１０の擬毛Ｇと自毛とを金属リングからなる留め具１２の中に挿入し、留め具１２を潰して、ヘアエクステンション１０を自毛Ｊに取り付けることができる。ただし、ヘアエクステンション１０の自毛Ｊへの取り付け方法は、これに限られるものではなく、その他の任意に取り付け方法を採用することができる。
【００２６】
以上のように、擬毛Ｇを残存した自毛Ｊに結び付けることにより、植毛／増毛領域ＳＲが形成されている場合には、医学的に頭皮に植毛を行うことなく、自然な外観を有する植毛／増毛領域ＳＲが得られる。更に、紐状部材に１以上の擬毛Ｇが結び付けられたヘアエクステンション１０を、残存した自毛Ｊに取り付けることにより植毛／増毛領域ＳＲが形成されている場合には、残存した自毛Ｊの量が比較的少ない場合であっても、効率的に植毛／増毛領域ＳＲを形成することができる。
【００２７】
上記のような方法で形成された植毛／増毛領域ＳＲの外周の平面形状は、植毛または増毛による毛の毛元の位置で画定される。つまり、植毛または増毛で得られた毛の毛元の位置を繋いだ曲線または直線で画定される。よって、植毛／増毛領域ＳＲのかつらベース４と隣接する第１の領域Ｂ１の形状は、植毛または増毛による毛の毛元の位置を繋いだ曲線または直線で画定される。
【００２８】
一方、かつらベース４の外縁の第１の領域Ｂ１に隣接する第２の領域Ｂ２の形状は、第１の領域Ｂ１の形状と略同一に形成されている。これにより、かつらベース４が、被装着者の頭部の植毛／増毛領域ＳＲに隣接するように装着されたとき、つまり、植毛／増毛領域ＳＲの第１の領域Ｂ１とかつらベース４の第２の領域Ｂ２とが合致するように配置されたとき、かつらベース４から植毛／増毛領域ＳＲにかけて、隙間が生じることなく、連続的に毛髪が頭皮側から延びた状態を形成できる。
【００２９】
以上のように、本実施形態に係るかつら２は、頭部の植毛／増毛領域ＳＲに隣接するように装着されるかつらベース４と、かつらベース４に植設された擬毛Ｇと、を備え、植毛／増毛領域ＳＲのかつらベース４と隣接する第１の領域Ｂ１の形状が、植毛／増毛領域ＳＲの毛Ｎ、Ｇの毛元の位置を繋いだ曲線または直線で画定され、かつらベース４の外縁の第１の領域Ｂ１に隣接する第２の領域Ｂ２の形状が、第１の領域Ｂ１の形状と略同一になっている。
【００３０】
これにより、かつらベース４から植毛／増毛領域ＳＲにかけて、隙間が生じることなく、連続的に毛髪が頭皮側から延びた状態を形成できるので、かつらベース４の縁部が視認されにくくなり、かつら２を装着していることを認識されにくくなる。よって、かつらの被装着者の頭部の自毛があまり残存していない領域に外縁部が配置されても、かつら装着を認識されにくいかつら２を提供することができる。
【００３１】
特に、本実施形態のように、植毛／増毛領域ＳＲが、被装着者の前頭領域に位置する場合には、人目に付きやすい領域において、かつら装着を認識されるのを効果的に抑制することができる。
【００３２】
ただし、植毛／増毛領域ＳＲが前頭領域に形成される場合だけでなく、後頭領域や、側頭領域に形成される場合もあり得る。何れの場合も、かつらベース４から植毛／増毛領域ＳＲにかけて、隙間が生じることなく、連続的に毛髪が頭皮側から延びた状態を形成できるので、かつらベース４の縁部を視認されにくくすることができる。
【００３３】
（植毛／増毛領域及びかつらベースの毛の密度）
次に、図４を参照しながら、植毛／増毛領域ＳＲ及びかつらベース４の毛の密度について説明する。図４は、植毛／増毛領域及びかつらベースの境界領域における植毛／増毛領域の毛の密度と、かつらベースに植設された擬毛の密度とを模式的に示す図である。
【００３４】
図４において、上側の図は、図２の断面Ａ−Ａを模式的に示し、下側のグラフは、それに対応する領域における毛の密度を表す。このグラフでは、頭部の前後方向の位置を横軸に示し、その位置における毛の密度を縦軸に示す。
【００３５】
図４から明らかなように、植毛／増毛領域ＳＲでは、前端側から後端に進むにつれて、つまり、かつらベース４から離れた位置からかつらベース４に近づくにつれて、毛Ｎ、Ｇの密度が高くなっている。そして、植毛／増毛領域ＳＲ及びかつらベース４の境界領域において、植毛または増毛による毛Ｎ、Ｇの密度と、かつらベース４に植設された擬毛Ｇの密度とが略同一になっている。
【００３６】
更に、かつらベース４に植設された擬毛Ｇの密度は、植毛／増毛領域ＳＲと隣接するかつらベース４の外縁部から後ろ側に進むにとれて、徐々に高くなっている。また、植毛／増毛領域ＳＲ及びかつらベース４の境界領域において、植毛や増毛による毛Ｎ、Ｇの長さと、かつらベース４に植設された擬毛Ｇの長さが略同一になっているか、少なくとも近似している。例えば、僅かではあるが、かつらベース４の厚みを考慮して、植毛または増毛による毛Ｎ、Ｇの長さが、かつらベース４に植設された擬毛Ｇよりも、かつらベース４の厚み分だけ長くなっている場合もあり得る。
【００３７】
以上のように、植毛／増毛領域ＳＲ及びかつらベース４の境界領域において、植毛／増毛領域ＳＲの毛Ｎ、Ｇの密度と、かつらベース４に植設された擬毛Ｇの密度とが略同一になっている場合には、植毛／増毛領域ＳＲ及びかつらベース４の境界領域で、毛髪密度に段差が生じて不自然な外観を呈することを効果的に抑制することができる。
【００３８】
また、植毛／増毛領域ＳＲの毛Ｎ、Ｇの密度が、かつらベース４から離れた位置からかつらベース４に近づくにつれて高くなっている場合には、植毛または増毛による毛Ｎ、Ｇによる自然な毛髪の外観が得られ、その自然な外観をかつら２が装着された領域へ繋げていくことができる。
【００３９】
更に、植毛／増毛領域ＳＲ及びかつらベース４の境界領域において、植毛／増毛領域ＳＲの毛Ｎ、Ｇの長さと、かつらベース４に植設された擬毛Ｇの長さが近似している場合には、植毛／増毛領域ＳＲからかつらベース４にかけて、段差や途切れのない連続的な外観を得ることができる。
【００４０】
仮に、擬毛を植毛して植毛／増毛領域ＳＲを形成する場合や、増毛により植毛／増毛領域ＳＲを形成する場合は、かつらベース４に植設する擬毛Ｇとして、植毛または増毛による擬毛Ｇと同種の擬毛を用いるのが好ましい。
【００４１】
（その他の実施形態に係るかつら）
次に、図５を参照しながら、本発明のその他の実施形態に係るかつらの説明を行う。図５は、外縁部に植毛／増毛領域の毛の引き込み領域が形成された本発明のその他の実施形態に係るかつらを模式的に示す図である。
【００４２】
本実施形態に係るかつらベース４では、かつらベース４の外縁の第１の領域Ｂ１に隣接する第２の領域Ｂ２の外側に、フィラメント６で囲まれ、植毛／増毛領域ＳＲの毛Ｎ、Ｇを引き込む引き込み領域８が形成されている。上記のように、かつらベース４から植毛／増毛領域ＳＲにかけて連続的に毛髪が頭皮側から延びた状態を形成できるのに加えて、植毛または増毛による毛Ｎ、Ｇを引き込むことにより、植毛または増毛による毛Ｎ、Ｇ及びかつらベース４をより一体化させることができる。これにより、より自然な外観を得ることができる。
【００４３】
（１つの実施形態に係る増毛部材）
頭部にあまり自毛が残存していない場合には、上記のように、かつら２を装着するのが好ましい。一方、頭部にある程度の自毛が残存する場合には、かつら２の代わりに、増毛部材を取り付けることもできる。本発明の１つの実施形態に係る増毛部材を用いた場合について、図６及び図７を参照しながら、以下に説明を行う。
【００４４】
図６は、本発明の１つの実施形態に係る増毛部材による増毛領域が、頭部の植毛領域に隣接するように配置されたところを模式的に示す図である。図７は、植毛領域及び増毛領域の境界領域における植毛領域の毛の密度と、増毛領域の擬毛の密度とを模式的に示す図である。図７において、上側の図は、図６の断面Ｂ−Ｂを模式的に示し、下側のグラフは、それに対応する領域における毛の密度を表す。このグラフでは、頭部の前後方向の位置を横軸に示し、その位置における毛の密度を縦軸に示す。
【００４５】
本実施形態に係る増毛部材は、頭部に残存する自毛に結び付けられる擬毛Ｇ、または頭部に残存する自毛に取り付けられるヘアエクステンション２０から構成される。ヘアエクステンション２０は、紐状部材２０Ａに１以上の擬毛２０Ｂが結び付けられて形成される。このような増毛部材は、図３Ａまたは図３Ｂに示すような方法で、頭部に取り付けることができる。図６では、擬毛Ｇ及びヘアエクステンション２０の両方が用いられた場合を模式的に示す。
【００４６】
増毛部材２０、Ｇは、頭部の植毛領域ＳＲに隣接するように配置される増毛領域ＺＲを形成する。また、植毛領域ＳＲの増毛領域ＺＲと隣接する第１の領域Ｂ１の形状は、植毛領域ＳＲの毛の毛元の位置を繋いだ曲線または直線で画定される。一方、増毛領域ＺＲの外縁部の第１の領域Ｂ１に隣接する第２の領域Ｂ２の形状は、自毛に結び付けられた擬毛Ｇの毛元の位置を繋いだ曲線または直線、または自毛に取り付けられた紐状部材２０Ａの位置で画定される。そして、第１の領域Ｂ１の形状及び第２の領域Ｂ２の形状が略同一になっている。
【００４７】
これにより、本実施形態においても、増毛領域ＺＲから植毛領域ＳＲにかけて、隙間が生じることなく、連続的に毛髪が頭皮側から延びた状態を形成できるので、増毛領域ＺＲの縁部が視認されにくくなり、増毛部材を装着していることを認識されにくくなる。よって、被装着者の頭部の自毛があまり残存していない領域に外縁部が配置されても、装着していることが認識されにくい増毛部材２０、Ｇを提供することができる。
【００４８】
また、図７に示すように、植毛領域ＳＲ及び増毛領域ＺＲの境界領域において、植毛領域ＳＲの毛Ｎの密度と、増毛領域ＺＲにおける擬毛２０Ｂ、Ｇの密度とが略同一になっている場合には、植毛領域ＳＲ及び増毛領域ＺＲの境界領域で、毛髪密度に段差が生じて不自然な外観を呈することを効果的に抑制することができる。
【００４９】
更に、植毛領域ＳＲ及び増毛領域ＺＲの境界領域において、植毛領域ＳＲの毛Ｎの長さと、増毛領域ＺＲの擬毛２０Ｂ、Ｇの長さが近似している場合には、植毛ＳＲから増毛領域ＺＲにかけて、段差や途切れのない連続的な外観を得ることができる。
【００５０】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【００５１】
２    かつら
４    かつらベース
６    フィラメント
８    引き込み領域
１０  ヘアエクステンション
１２  留め具
２０  ヘアエクステンション
２０Ａ  紐状部材
２０Ｂ  擬毛
ＳＲ  植毛／増毛領域
ＺＲ  増毛領域
Ｇ    擬毛
Ｎ    植毛された毛
Ｊ    自毛
Ｔ    結び目
Ｂ１  第１の領域
Ｂ２  第２の領域
【要約】
【課題】  かつら被装着者の頭部の自毛があまり残存していない領域に外縁部が配置されても、かつら装着を認識されにくいかつらを提供する。
【解決手段】  頭部の植毛／増毛領域ＳＲに隣接するように装着されるかつらベース４と、かつらベース４に植設された擬毛Ｇと、を備え、植毛／増毛領域ＳＲのかつらベース４と隣接する第１の領域Ｂ１の形状が、植毛／増毛領域ＳＲの毛Ｎ、Ｇの毛元の位置を繋いだ曲線または直線で画定され、かつらベース４の外縁の第１の領域Ｂ１に隣接する第２の領域Ｂ２の形状が、第１の領域Ｂ１の形状と略同一であるかつら２を提供する。
【選択図】図１【図１】
0006978627.tif 000002
【図２】
0006978627.tif 000003
【図３Ａ】
0006978627.tif 000004
【図３Ｂ】
0006978627.tif 000005
【図４】
0006978627.tif 000006
【図５】
0006978627.tif 000007
【図６】
0006978627.tif 000008
【図７】
0006978627.tif 000009